(57)【要約】【課題】  本発明は、極めて商品価値の高い画期的なラベル及び収納容器を提供することを目的とする。【解決手段】  収納容器２に付設されるラベル本体１を剥離自在に構成して、前記収納容器２から剥離したラベル本体１を、該収納容器２に収納される収納物を移し替えることのできる移し替え容器３に貼着して張り替えし得るように構成したものである。【選択図】      図２
2005242154.tif 000002
【特許請求の範囲】
【請求項１】
収納容器に付設されるラベル本体を剥離自在に構成して、前記収納容器から剥離したラベル本体を、該収納容器に収納される収納物を移し替えることのできる移し替え容器に貼着して張り替えし得るように構成したことを特徴とするラベル。
【請求項２】
紙製若しくは樹脂製の収納容器に付設されるラベル本体を剥離自在に構成して、前記収納容器から剥離したラベル本体を、該収納容器に収納される収納物を移し替えることのできる移し替え容器に貼着して張り替えし得るように構成したことを特徴とするラベル。
【請求項３】
前記ラベル本体の裏面に剥離及び貼着が繰り返し行える粘着部を設けたことを特徴とする請求項１，２のいずれか１項に記載のラベル。
【請求項４】
前記収納容器に収納される収納物としてワインや日本酒などのアルコール飲料を採用したことを特徴とする請求項１〜３のいずれか１項に記載のラベル。
【請求項５】
外周面所定位置に前記請求項１〜４いずれか１項に記載のラベルを剥離自在に付設し得る剥離部を設けたことを特徴とする収納容器。
【発明の詳細な説明】
【技術分野】
【０００１】
本発明は、ラベル及び収納容器に関するものである。
【背景技術】
【０００２】
ガラス製のボトルに詰入されるアルコール飲料、例えばワインは、その味や香りや色などのワインが持つ特性を楽しむのは勿論、ボトルに付設されたラベルが表示する銘柄（ブランドネーム）、産地、品種、収穫年などの種々の情報、その他にも、ボトルの形状、ボトルから注ぐ際の音などといった、前述したワインが持つ特性以外の要素から醸し出される独特な雰囲気も同時に楽しむものとされる（このワインが持つ特性以外の要素が変わることで、同じワインでも飲む者に全く違った印象を与えることさえある。）。
【発明の開示】
【発明が解決しようとする課題】
【０００３】
ところで、近年、コスト削減やリサイクルや搬送の簡便化などの理由から、アルコール類（ワイン）を、ガラス製のボトルでなく、紙製の収納容器（紙パック）や樹脂製のボトル（ペットボトル）に詰入して販売されるケースが増えている。
【０００４】
勿論、これらの紙製の収納容器（紙パック）や樹脂製のボトル（ペットボトル）に詰入されていても味や香りが変化することはないと思われるが、やはり前述したラベルが貼られたガラス製のボトルに詰入されたワインを注ぎながら飲む場合に比し、雰囲気が出ず、いわゆる味気ない（ワイン本来の楽しみ方ができない）のが現状である。
【０００５】
これは消費者の楽しみを減退させるとともに、この種の飲料を拡販する上での大きな妨げの要因ともなり得る。
【０００６】
そこで、本発明者は、上述の問題点に鑑み、従来にない作用効果を発揮する画期的なラベル及び収納容器を開発した。
【課題を解決するための手段】
【０００７】
添付図面を参照して本発明の要旨を説明する。
【０００８】
収納容器２に付設されるラベル本体１を剥離自在に構成して、前記収納容器２から剥離したラベル本体１を、該収納容器２に収納される収納物を移し替えることのできる移し替え容器３に貼着して張り替えし得るように構成したことを特徴とするラベルに係るものである。
【０００９】
また、紙製若しくは樹脂製の収納容器２に付設されるラベル本体１を剥離自在に構成して、前記収納容器２から剥離したラベル本体１を、該収納容器２に収納される収納物を移し替えることのできる移し替え容器３に貼着して張り替えし得るように構成したことを特徴とするラベルに係るものである。
【００１０】
また、前記ラベル本体１の裏面に剥離及び貼着が繰り返し行える粘着部４を設けたことを特徴とする請求項１，２のいずれか１項に記載のラベルに係るものである。
【００１１】
また、前記収納容器２に収納される収納物としてワインや日本酒などのアルコール飲料を採用したことを特徴とする請求項１〜３のいずれか１項に記載のラベルに係るものである。
【００１２】
また、外周面所定位置に前記請求項１〜４いずれか１項に記載のラベルを剥離自在に付設し得る剥離部５を設けたことを特徴とする収納容器に係るものである。
【発明の効果】
【００１３】
本発明は上述のように構成したから、従来にない機能を具備して極めて商品価値の高い画期的なラベルとなる。
【発明を実施するための最良の形態】
【００１４】
好適と考える本発明の実施形態を、本発明の作用を示して簡単に説明する。
【００１５】
本発明は、収納容器２に付設されるラベル本体１を剥離自在に構成して、前記収納容器２から剥離したラベル本体１を、該収納容器２に収納される収納物を移し替えることのできる移し替え容器３に貼着して張り替えし得るように構成している。
【００１６】
この本発明に係る構成を、例えばワインを流通する際の収納容器２に付設されるラベルとして適用した場合について簡単に説明する。
【００１７】
即ち、例えばメーカー（販売者）は、紙製の収納容器（紙パック）や樹脂製のボトル（ペットボトル）などの収納容器２にワインを詰入すると共に、ラベル本体１を当該収納容器２に剥離自在に付設した状態で販売する。
【００１８】
これを購入した消費者は、移し替え容器３としてのガラス製のボトルに、収納容器２に収納されるワインを詰入するとともに、このボトルに収納容器２から剥離したラベル本体１を貼着して張り替え、この状態でワインをグラスに注ぐなどして好みのスタイルで飲むことができることになる。
【００１９】
従って、消費者側にとっては、自分で購入してきた好みのワインを、該ワインを表示するラベルが貼着された好みのボトルから注いで飲むことができるから、ワインの風味を味わうと共に、ラベル、ボトルなどが醸し出す独特な雰囲気を感じながらワインを十分に楽しむことができることになる。
【００２０】
一方、メーカー（販売者）側にとっては、前述したように消費者に喜ばれるワインをコスト安に提供することができ、そして、リサイクルの面にも十分に配慮された販売が望めることになるなど、仮にワインが紙製や樹脂製などの収納容器２に詰入されている状態であっても消費者の購買欲をそそることができるからより一層の拡販が期待できることになる。
【００２１】
以上のように、本発明は、ラベルを張り替えられるようにするといった従来にない機能を具備することで極めて商品価値が高く画期的なものとなる。
【実施例１】
【００２２】
本発明の具体的な実施例１について図面に基づいて説明する。
【００２３】
本実施例は、ワインが収納される収納容器２の外周面所定位置に付設されるラベルである。
【００２４】
具体的には、ラベル本体１は、図１に図示したように紙製若しくは樹脂製若しくは金属製の部材を方形状に形成したものであり、後述する収納容器２の剥離部５及び移し替え容器３の外周面に配設するに適した適宜な大きさに設定されている。尚、ラベル本体１の材質、形状、大きさ等は前述したものに限定されるものではない。
【００２５】
このラベル本体１の表面には、収納容器２に収納される飲料（ワイン）の銘柄（ブランドネーム）、産地、品種、収穫年などの種々の情報を示す表示が施される。
【００２６】
尚、このラベル本体１の表面に施されるものとしては前述したものに限らず、例えば絵画や図形や写真などの収納容器２に収納される飲料のイメージを考慮したものであったり、ユーザーが好むものであったりしても良く、また、無地としてユーザーが自ら描き入れ可能なものにしても良い。
【００２７】
また、ラベル本体１の裏面には粘着部４が設けられている。
【００２８】
この粘着部４は、後述する収納容器２の表面所定位置に設けられる剥離部５に剥離自在に付設されるように構成されており、この剥離部５から剥離させた後、移し替え容器３の外周面に貼着し得るように構成されている。
【００２９】
また、この粘着部４の粘着性は剥離及び貼着を繰り返し行える粘着性に設定されている。尚、この粘着部４の粘着性については適宜設計変更し得るものであり、剥離部５から剥離して移し替え容器３に貼着した後は剥離しにくい粘着性を具備せしめても良い。
【００３０】
収納容器２は、図１に図示したように紙製の部材若しくは樹脂製の部材を箱状に形成したものであり、この収納容器２の材質は、コスト安に提供でき、リサイクル可能（リサイクル容易）な材質としての紙製の部材若しくは樹脂製の部材が採用されている。尚、収納容器２の材質、形状等は前述したものに限定されるものではない。
【００３１】
また、収納容器２は、その外周面にして正面所定位置に前述したラベル本体１が剥離自在に配される剥離部５が設けられている。
【００３２】
この剥離部５は、ラベル本体１に設けた前述した粘着部４の粘着性が機能しにくい表面処理を施して構成されている。
【００３３】
移し替え容器３は、図３に図示したように前述した収納容器２と異なる材質の部材で形成したものであり、径大のボトル本体３ａの上端部に径小の注ぎ口部３ｂが設けられたガラス製のワインボトル（ビン）である。尚、移し替え容器３は消費者自ら気に入ったボトルで良いし、メーカーが用意した専用のボトルなど種々考えられ、洗浄することで何度でも使えるものが良い。
【００３４】
このガラス製のワインボトル３は、紙製や樹脂製に比して保存性に秀れ、しかも、その内底面には湾曲状に突出する突出部３ｃが設けられ、この突出部３ｃの周囲に形成される溝部３ｄは、ワインの原料となるぶどうから生じるオリ（沈殿物）を溜める部位として機能している。
【００３５】
つまり、飲料によって適した形状や大きさの専用の容器があり、この点を考慮すると本発明に係る技術は、ラベルを張り替えられるようにして飲料を適した容器に移し替えることを助長することに貢献しているといえる。
【００３６】
尚、本実施例では、収納容器２に収納される移し替え容器３に移し替えられる収納物としてワインを採用しているが、例えば日本酒やブランデーなどの他のアルコール飲料や清涼飲料、その他にも、醤油などの調味料でも良いなど本実施例の特性を発揮する構成であれば適宜採用し得るものであり、更に、収納する収納物に合わせて移し替え容器３をガラス製、陶製、金属製、木製などの材質とするものである。
【００３７】
以上のように、本実施例は、ラベル本体１は、紙パック製の収納容器２に剥離自在に付設し得るように構成されるとともに、収納容器２から剥離した後、該収納容器２に収納される収納物を移し替えることができるガラス製の瓶から成る移し替え容器３に貼着して張り替えし得ることになる。
【００３８】
本実施例は上述のように構成したから、例えばメーカー（販売者）は、紙パックなどの収納容器２にワインを収納すると共に、ラベル本体１を当該収納容器２に剥離自在に付設した状態で販売する（図１参照）。
【００３９】
これを購入した消費者は、移し替え容器３としてのガラスのボトルに、収納容器２に収納されるワインを詰入するとともに、このボトル３に収納容器２から剥離したラベル本体１を貼着する（図２，３，４参照）。
【００４０】
この状態でワインをグラスに注ぐなどして好みのスタイルで飲むことができることになる。
【００４１】
よって、本実施例によれば、消費者側にとっては、常に自分で購入してきた好みのワインを、該ワインを表示するラベルが貼着された好みのボトルから注いで飲むことができるから、ワインの風味を味わうと共に、ラベル、ボトルなどが醸し出す独特な雰囲気を感じながらワインを十分に楽しむことができることになる。
【００４２】
一方、メーカー（販売者）側にとっては、前述したように消費者に喜ばれるワインをコスト安に提供することができ、そして、リサイクルの面にも十分に配慮された販売が望めることになるなど、仮にワインが紙製や樹脂製の収納容器２に詰入されている状態であっても消費者の購買欲をそそることができるからより一層の拡販が期待できることになる。
【００４３】
また、本実施例は、その飲料（特にアルコール飲料）にあった専用のボトルに移し替えることになるから、その飲料に伴う雰囲気を味わいながらおいしく飲むことができ、しかも、その飲料にあった良好な保存が可能となる。
【００４４】
また、本実施例は、ラベル本体１の裏面に剥離及び貼着が繰り返し行える粘着部４を設けたから、移し替え容器３から剥離しようとする際にも剥がし残しを生じさせることなく綺麗に剥離し得ることになる。
【実施例２】
【００４５】
本発明の具体的な実施例２について図面に基づいて説明する。
【００４６】
本実施例は、図５，６に図示したように剥離部５及びラベル本体１夫々を複数設けた場合である。
【００４７】
具体的には、収納容器２の表面所定位置だけでなく、背面所定位置及び左右側面所定位置にも剥離部５を設け、この各剥離部５にラベル本体１を剥離自在に付設した構成である。
【００４８】
これは収納容器２から容量の異なる（容量の少ない）移し替え容器３へ移し替える場合に良好な構成である。
【００４９】
即ち、例えば収納容器２が１．８リットルや２．０リットル容量の収納容器２（紙パックやペットボトル）で、一方、７５０ミリリットル容量の移し替え容器３（ビン）の場合、移し替え容器３を２〜３本用意し、この各移し替え容器３に収納物を移し替えるとともにラベル本体１を張り替えすれば、直ちに飲もうとするものの他にも、ストックするものまで良好な状態が得られることになる。
【００５０】
これは、単に紙パックに入ったワインがストックされているより、ラベルつきのビンに入ったワインがストックされている方が気分が良い（愛飲者の気持ちを高揚・満足させることができる）からである。
【００５１】
従って、収納容器２の容量が多いほど複数枚にするメリットが得られることになり、収納容器２のスペースを有効に利用することで、ラベル，このラベルが付設される収納容器２及びラベルが付設され収納物を収納した収納容器２から成る製品自体に一層の商品価値を高める（付加価値を付与する）ことができる。
【００５２】
その余は実施例１と同様である。
【００５３】
尚、本発明は、実施例１，２に限られるものではなく、各構成要件の具体的構成は適宜設計し得るものである。
【図面の簡単な説明】
【００５４】
【図１】実施例１を示す斜視図である。
【図２】実施例１の概略動作説明図である。
【図３】実施例１の概略動作説明図である。
【図４】実施例１の概略動作説明図である。
【図５】実施例２を示す斜視図である。
【図６】実施例２を示す斜視図である。
【符号の説明】
【００５５】
１  ラベル本体
２  収納容器
３  移し替え容器
４  粘着部
５  剥離部
【図１】
2005242154.tif 000003
【図２】
2005242154.tif 000004
【図３】
2005242154.tif 000005
【図４】
2005242154.tif 000006
【図５】
2005242154.tif 000007
【図６】
2005242154.tif 000008